【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
不規則形状の実装領域上に実装された１つ以上の発光ダイオード（ＬＥＤ）を備える発光領域と、
前記不規則形状の実装領域の周囲に配置される保持材と、
を備える発光装置。
【請求項２】
前記１つ以上の発光ダイオードは、アレイ状に配列される請求項１記載の装置。
【請求項３】
２つ以上の発光領域を備える請求項１記載の装置。
【請求項４】
前記発光領域の一部分は、前記発光装置の別部材への取付用の取付領域に隣接する凹部を備える請求項１記載の装置。
【請求項５】
前記発光領域は、サブマウント上に配置される請求項１記載の装置。
【請求項６】
前記発光領域は、前記サブマウント上で中心からずれて配置される請求項５記載の装置。
【請求項７】
前記保持材が塗布される請求項１記載の装置。
【請求項８】
前記発光領域は、さらに、前記１つ以上のＬＥＤ上に配置される充填材を備え、前記充填材は、前記保持材によって保持される請求項１記載の装置。
【請求項９】
第１面上に配置された第１の発光領域と、第２面上に配置された第２の発光領域とを備え、前記第１面と第２面との間には、光を異なる角度で発するために角度が設けられる請求項１記載の装置。
【請求項１０】
前記発光領域は、ワイヤボンドを介して直列に電気的に接続される複数のＬＥＤを備える請求項１記載の装置。
【請求項１１】
前記複数のＬＥＤは、２つ以上の異なるパターンで整列されたＬＥＤのストリングの１つ以上を備える請求項１０記載の装置。
【請求項１２】
前記発光領域は、前記実装領域の、１つ以上の分離された部分上で、並列に電気的に接続される複数のＬＥＤを備える請求項１記載の装置。
【請求項１３】
４つの不規則形状の発光領域を備える請求項１記載の装置。
【請求項１４】
前記２つ以上の発光領域の間に少なくとも部分的に配置された、前記発光装置の別部材への取付用の取付領域をさらに備える請求項３記載の装置。
【請求項１５】
前記実装領域は、一つの非分割の実装領域を備える請求項１記載の装置。
【請求項１６】
２つ以上の実装領域を備える請求項１５記載の装置。
【請求項１７】
前記発光領域又は前記実装領域は、１本だけの線対称軸を備える請求項１記載の装置。
【請求項１８】
前記発光領域又は前記実装領域は、２本以下の線対称軸を備える請求項１記載の装置。
【請求項１９】
前記発光領域又は前記実装領域は、非対称である請求項１記載の装置。
【請求項２０】
発光装置であって、
１つ以上の発光ダイオード（ＬＥＤ）を備える不規則形状の発光領域と、
前記不規則形状の発光領域の外側に配置された、前記発光装置の別部材への取付用の取付領域と、
を備える発光装置。
【請求項２１】
２つ以上の発光領域を備える請求項２０記載の装置。
【請求項２２】
２つ以上の取付領域を備える請求項２０記載の装置。
【請求項２３】
前記１つ以上のＬＥＤは、１つの不規則形状の実装領域上に実装される請求項２０記載の装置。
【請求項２４】
前記不規則形状の発光領域の周囲に配置される保持材をさらに備える請求項２０記載の装置。
【請求項２５】
前記発光領域は、サブマウント上に配置される請求項２０記載の装置。
【請求項２６】
前記発光領域は、前記サブマウント上で中心からずれて配置される請求項２５記載の装置。
【請求項２７】
前記保持材が塗布される請求項２４記載の装置。
【請求項２８】
前記発光領域は、さらに、前記１つ以上のＬＥＤ上に配置される充填材を備え、前記充填材は、保持材によって保持される請求項２０記載の装置。
【請求項２９】
第１面上に配置された第１の発光領域と、第２面上に配置された第２の発光領域とを備え、前記第１面と第２面との間には、光を異なる角度で発するために角度が設けられる請求項２０記載の装置。
【請求項３０】
前記発光領域は、ワイヤボンドを介して直列に電気的に接続される複数のＬＥＤを備える請求項２０記載の装置。
【請求項３１】
前記複数のＬＥＤは、２つ以上の異なるパターンで整列されたＬＥＤのストリングの１つ以上を備える請求項３０記載の装置。
【請求項３２】
前記発光領域は、実装領域の、１つ以上の分離された部分上で、並列に電気的に接続される複数のＬＥＤを備える請求項２０記載の装置。
【請求項３３】
４つの不規則形状の発光領域を備える請求項２０記載の装置。
【請求項３４】
前記発光領域は、１本だけの線対称軸を備える請求項２０記載の装置。
【請求項３５】
前記発光領域は、２本以下の線対称軸を備える請求項２０記載の装置。
【請求項３６】
前記発光領域は、非対称である請求項２０記載の装置。
【請求項３７】
前記取付領域は、開口部を備える請求項２０記載の装置。
【請求項３８】
前記取付領域は、クリップ式の留め具を備える請求項２０記載の装置。
【請求項３９】
第１面と、
前記第１面に対して角度付けられた第２面と、
前記第１面上に配置された第１の発光領域と、
前記第２面上に配置された第２の発光領域と、
を備え、
前記第１の発光領域及び前記第２の発光領域の各々は、不規則形状の実装領域上に実装された１つ以上の発光ダイオード（ＬＥＤ）を備え、
前記不規則形状の実装領域の周囲には保持材が塗布されている発光システム。
【請求項４０】
前記第１面及び第２面に電気的、機械的、及び熱的に接続するハウジングをさらに備える請求項３９のシステム。
【請求項４１】
前記第１面及び第２面の周囲に配置された光拡散器をさらに備える請求項３９記載のシステム。
【請求項４２】
前記第１面及び第２面上に配置された電球部をさらに備える請求項３９記載のシステム。
【請求項４３】
前記第２面に対して角度付けられた第３面をさらに備え、前記第３面は、第３の発光領域を備える請求項３９記載のシステム。
【請求項４４】
前記１つ以上のＬＥＤは、前記不規則形状の実装領域上に直列に電気的に接続される複数のＬＥＤを備える請求項３９記載のシステム。
【請求項４５】
前記複数のＬＥＤは、２つ以上の異なるパターンで整列されたＬＥＤのストリングの１つ以上を備える請求項４４記載のシステム。
【請求項４６】
前記第１の発光領域は、前記実装領域の、１つ以上の分離された部分上で、並列に電気的に接続される複数のＬＥＤを備える請求項３９記載のシステム。
【請求項４７】
前記第１の発光領域及び前記第２の発光領域は、不規則形状の領域を備える請求項３９記載のシステム。
【請求項４８】
前記第１の発光領域及び前記第２の発光領域は、１本だけの線対称軸を備える請求項４７記載のシステム。
【請求項４９】
前記第１の発光領域及び前記第２の発光領域は、２本以下の線対称軸を備える請求項４７記載のシステム。
【請求項５０】
前記第１の発光領域及び前記第２の発光領域は、非対称である請求項４７記載のシステム。
【請求項５１】
発光装置を提供する方法であって、
不規則形状の実装領域上に実装される１つ以上の発光ダイオード（ＬＥＤ）であって、発光領域を構成する前記１つ以上のＬＥＤを設ける手順と、
前記不規則形状の実装領域の周囲に配置される保持材を設ける手順と、
を備える方法。
【請求項５２】
前記保持材の内側に充填材を設ける手順をさらに備える請求項５１記載の方法。
【請求項５３】
前記実装領域を、熱伝導性サブマウント上に取り付ける手順をさらに備える請求項５１記載の方法。
【請求項５４】
前記熱伝導性サブマウントは、ＬＥＤシステム内に熱伝導性ハウジングを備える請求項５３記載の方法。
【請求項５５】
前記１つ以上のＬＥＤを設ける手順は、ＬＥＤのアレイを設ける手順を備える請求項５１記載の方法。
【請求項５６】
前記１つ以上のＬＥＤを設ける手順は、熱伝導性サブマウント上に配置される複数の発光領域を設ける手順を備える請求項５１記載の方法。
【請求項５７】
前記１つ以上のＬＥＤを設ける手順は、前記発光装置の別部材への取付用の取付領域に隣接する１つ以上の凹部を有する発光領域を設ける手順を備える請求項５１記載の方法。
【請求項５８】
前記保持材を設ける手順は、保持材を塗布する手順を備える請求項５１記載の方法。
【請求項５９】
前記１つ以上のＬＥＤを設ける手順は、第１面上に配置される前記第１の発光領域と、第２面上に配置される第２の発光領域とを設ける手順を備え、前記第２面は、前記第１面に対して角度付けられる請求項５１記載の方法。
【請求項６０】
前記１つ以上のＬＥＤを設ける手順は、ワイヤボンドを介して直列に電気的に接続される複数のＬＥＤを設ける手順を備える請求項５１記載の方法。
【請求項６１】
前記１つ以上のＬＥＤを設ける手順は、２つ以上の異なるパターンで整列されたＬＥＤのストリングの１つ以上を備える請求項５１記載の方法。
【請求項６２】
前記２つ以上の発光領域の間に少なくとも部分的に配置される、前記発光装置の別部材への取付用の取付領域を設ける手順をさらに備える請求項５１記載の方法。
【請求項６３】
発光装置を提供する方法であって、
１つ以上の発光ダイオード（ＬＥＤ）を備える不規則形状の発光領域を設ける手順と、
不規則形状の実装領域の周囲に配置される保持材を提供する前記不規則形状の発光領域の外側に配置される、前記発光装置の別部材への取付用の取付領域を設ける手順と、
を備える方法。
【請求項６４】
前記不規則形状の発光領域は、１本だけの線対称軸を備える請求項６３記載の方法。
【請求項６５】
前記不規則形状の発光領域は、２本以下の線対称軸を備える請求項６３記載の方法。
【請求項６６】
前記不規則形状の発光領域は、非対称である請求項６３記載の方法。
【請求項６７】
前記発光領域の周囲に保持材を塗布する手順をさらに備える請求項６３記載の方法。
【請求項６８】
前記不規則形状の発光領域を設ける手順は、サブマウント上に２つ以上の不規則形状の発光領域を設ける手順を備える請求項６３記載の方法。